(57)【要約】【課題】携帯型端末装置がネットワークを介して情報検索を行う際に、装置利便性を向上させることができる携帯型端末装置を提供する。【解決手段】携帯型端末装置２が、内蔵する非接触型ＩＣカードに記憶された情報を含む検索要求をナビゲーションサーバ装置４に送信する。【選択図】図１
2007121143.tif 000002
【特許請求の範囲】
【請求項１】
ネットワークを介してデータ通信を行う通信手段と、
非接触式により外部の装置に対して情報を出力する情報を記憶している記憶手段と、
前記通信手段を介してネットワーク上のサーバに対して情報検索を行う際に、前記記憶手段に記憶している情報を検索要求データとして使用するように制御する制御手段と
を有する携帯型端末装置。
【請求項２】
前記制御手段は、前記通信手段を介してネットワーク上のサーバに対して情報検索を行う際に、前記記憶手段に記憶している情報をリスト表示し、当該リスト表示され選択された情報を前記情報検索の検索要求データとして送信制御する
請求項１に記載の携帯型端末装置。
【請求項３】
前記記憶手段に記憶している情報は、非接触式により出力する外部の装置を設置している店舗に関する情報である
請求項１に記載の携帯型端末装置。
【請求項４】
ネットワークを介してデータ通信を行う通信手段と、
非接触式により外部の装置に対して出力する情報を記憶している記憶手段と、
前記通信手段を介してネットワーク上のサーバに対して位置情報を指定し、当該位置に対する周辺情報をサーバから取得して表示する際に、前記記憶手段に記憶している情報に基づいて当該取得した情報を表示制御する制御手段と
を有する携帯型端末装置。
【請求項５】
現在の携帯型端末装置の位置を取得する位置情報取得手段
をさらに有し、
前記制御手段は、ネットワーク上のサーバに対して位置情報を指定する場合に、前記位置情報取得手段により取得した情報を用いて指定する
請求項４に記載の携帯型端末装置。
【請求項６】
前記記憶手段に記憶している情報は、非接触式により出力する外部の装置を設置している店舗に関する情報である
請求項４に記載の携帯型端末装置。
【請求項７】
前記制御手段は、前記サーバから取得した情報を表示制御する際に、店舗に関連付けて記憶している情報も表示する
請求項４に記載の携帯型端末装置。
【発明の詳細な説明】
【技術分野】
【０００１】
本発明は、検索及び検索結果の表示方法に特徴を有する携帯型端末装置に関する。
【背景技術】
【０００２】
近年、非接触で情報を出力する手段を備えた携帯型端末装置がある。この手段が保持する情報は、ユーザが利用する店舗などに設置された外部装置において使用される。
また、一方で、非接触型ＩＣカードに関する技術が、例えば、特許文献１，２に開示されている。
特許文献１には、非接触式のＲＦＩＤ(Radio Frequency Identification)ラベルにおいてＲＦＩＤラベルのＩＣチップ内に利用者の国名、移動目的地、飛行機便名などの旅行情報を記録することが開示されている。また、特許文献２には、無線式カード情報リーダ／ライタに非接触型ＩＣカードをかざすことにより、捜索商品の場所を表示端末に表示し、それと同時にアナウンスで捜索商品の所在を案内するシステムが開示されている。
ところで、近年のＧＰＳ(Global Positioning System)機能を備えた携帯型端末装置は、その現在地情報とユーザが入力したキーワードとを含む検索要求をナビゲーションサーバ装置に送信する。そして、ナビゲーションサーバ装置が、指定されたキーワードの他に、携帯型端末装置の現在位置を反映した検索結果を提供する。
【特許文献１】特開２００３−１２３０４０号公報
【特許文献２】特開２０００−２２２４７８号公報
【発明の開示】
【発明が解決しようとする課題】
【０００３】
しかしながら、従来の携帯型端末装置は、入力インターフェースが貧弱であり、キーワード入力に伴うユーザの負担が大きいという問題がある。
また、携帯型端末装置は、上述したようなユーザに関する情報を非接触で情報出力する手段を備えておらず、これらのカードの情報を携帯型端末装置で利用できないという問題がある。
【０００４】
本発明は上述した従来技術の問題点を解決するために、携帯型端末装置がネットワークを介して情報検索を行う際に、装置利便性を向上させることができる携帯型端末装置を提供することを目的とする。
【課題を解決するための手段】
【０００５】
上述した従来技術の問題点を解決し、上述した目的を達成するため、第１の観点の発明の携帯型端末装置は、ネットワークを介してデータ通信を行う通信手段と、非接触式により外部の装置に対して情報を出力する情報を記憶している記憶手段と、前記通信手段を介してネットワーク上のサーバに対して情報検索を行う際に、前記記憶手段に記憶している情報を検索要求データとして使用するように制御する制御手段とを有する。
【０００６】
第１の観点の発明の携帯型端末装置は、好ましくは、前記制御手段は、前記通信手段を介してネットワーク上のサーバに対して情報検索を行う際に、前記記憶手段に記憶している情報をリスト表示し、当該リスト表示され選択された情報を前記情報検索の検索要求データとして送信制御する。
また、第１の観点の発明の携帯型端末装置は、好ましくは、前記記憶手段に記憶している情報は、非接触式により出力する外部の装置を設置している店舗に関する情報である。
【０００７】
第２の観点の発明の携帯型端末装置は、ネットワークを介してデータ通信を行う通信手段と、非接触式により外部の装置に対して出力する情報を記憶している記憶手段と、前記通信手段を介してネットワーク上のサーバに対して位置情報を指定し、当該位置に対する周辺情報をサーバから取得して表示する際に、前記記憶手段に記憶している情報に基づいて当該取得した情報を表示制御する制御手段とを有する。
【０００８】
第２の観点の発明の携帯型端末装置は、好ましくは、現在の携帯型端末装置の位置を取得する位置情報取得手段をさらに有し、前記制御手段は、ネットワーク上のサーバに対して位置情報を指定する場合に、前記位置情報取得手段により取得した情報を用いて指定する。
第２の観点の発明の携帯型端末装置は、好ましくは、前記記憶手段に記憶している情報は、非接触式により出力する外部の装置を設置している店舗に関する情報である。
第２の観点の発明の携帯型端末装置は、好ましくは、前記制御手段は、前記サーバから取得した情報を表示制御する際に、店舗に関連付けて記憶している情報も表示する。
【発明の効果】
【０００９】
本発明によれば、携帯型端末装置がネットワークを介して情報検索を行う際に、装置利便性を向上させることができる携帯型端末装置を提供することができる。
【発明を実施するための最良の形態】
【００１０】
以下、本発明の実施形態に係わる通信システムについて説明する。
＜第１実施形態＞
図１は、本実施形態の通信システム１の全体構成図である。
図１に示すように、通信システム１は、携帯型端末装置２とナビゲーションサーバ装置４とを有し、これらの間で通信を行う。
本実施形態では、単数の携帯型端末装置２を用いた場合を例示するが、実際には複数の携帯型端末装置２が用いられる。
【００１１】
通信システム１では、非接触型IC カードに登録されているポイントカード情報を用いて、ナビゲーションサーバから受信した情報の選別を行い、ユーザの嗜好を反映させた検索結果を表示する。従って、ユーザは欲しい情報を即座に発見することが可能となる。
【００１２】
［携帯型端末装置２］
図２は、本発明の実施形態に係わる携帯型端末装置１の機能ブロック図である。
図２に示すように、携帯型端末装置２は、例えば、通信部１０、アンテナ１２、表示部１４、キー入力部１６、音声処理部１８、スピーカ２０、マイク２２、ＧＰＳ部２４、カードＲ／Ｗ部２６、記憶部２８および制御部３０を有する。
携帯型端末装置２は、例えば、携帯電話やＰＤＡ（Personal Digital Assistant）などである。
【００１３】
通信部１０は、図１に示すナビゲーションサーバ装置４に対して、図示しない基地局を経由してアンテナ１２を介して、検索条件データを送信したり、検索結果データを受信する。
表示部１４は、ＧＰＳを利用した周辺情報検索を行うための情報や、検索結果等を表示する。
キー入力部１６は、外部からの入力を受け付け、携帯型端末装置２の操作を行うための入力インタフェースである。
音声処理部１８は、通話などの音声処理を行う。音声処理部１８は、音声処理した音声信号をスピーカ２０に出力したり、マイク２２に入力される音声を信号処理する
ＧＰＳ部２４は、ＧＰＳ処理により、携帯型端末装置２の位置に関するデータを取得する。
【００１４】
カードＲ／Ｗ部２６は、携帯型端末装置２が内蔵する非接触型ＩＣカード４０に対するデータ読み出し処理と、データ書き込み処理とを、例えば、非接触で行う。なお、携帯型端末装置２が接触型ＩＣカードを内蔵している場合には、カードＲ／Ｗ部２６は、接触方式で当該接触型ＩＣカードとデータ入出力を行う。
非接触型ＩＣカード４０は、そのＩＣ内に、例えば、図３に示すような店舗データＳＤ＿Ｃを記憶している。
店舗データＳＤは、例えば、携帯型端末装置２のユーザがポイントなどを溜めている店舗の店舗情報（例えば、店舗名）、店舗ＩＤなどを示している。また、店舗データＳＤは、例えば、当該ユーザが溜めているポイント数などのデータも含んでいる。
本実施形態において、共通のポイントが溜められる店舗には同じ店舗ＩＤが割り当てられている。
また、非接触型ＩＣカード４０は、例えば、店舗などにおいて、当該店舗のカードＲ／Ｗ装置との間で非接触方式でデータ（例えば、ポイントデータ）の書き込み処理および読み出し処理を行う。
【００１５】
記憶部２８は、ＧＰＳ部２４が取得した現在地データ、カードＲ／Ｗ部２６が取得した非接触型ICカードデータや、制御部３０が実行するプログラム等を記憶する。
制御部３０は、記憶部２８から読み出したプログラムを実行して携帯型端末装置２の動作を統括的に制御する。
【００１６】
［ナビゲーションサーバ装置４］
ナビゲーションサーバ装置４は、例えば、図４に示すように店舗データＳＤ＿Ｓを記憶する。
図４に示すように、店舗データＳＤ＿Ｓは、店舗情報（店舗名）、店舗ＩＤ、ジャンルなどを対応付けて示している。
店舗データＳＤ＿Ｓは、店舗の位置データを保持し、当該位置データと携帯型端末装置２の現在位置データとを基に、ナビゲーションサーバ装置４あるいは携帯型端末装置２内で上記現在位置からの距離を算出する。
また、店舗データＳＤ＿Ｓ内の各店舗名には、その店舗のジャンルが対応付けられている。また、前述したように、共通のポイントが溜められる店舗には同じ店舗ＩＤが割り当てられている。
【００１７】
ナビゲーションサーバ装置４は、携帯型端末装置２から位置データと、店舗に関するデータとを受信すると、それらに対応した検索結果（店舗情報、店舗ＩＤなど）を携帯型端末装置２に送信する。
【００１８】
以下、通信システム１の動作例を説明する。
図５は、第１実施形態の通信システム１の動作例を説明するためのフローチャートである。
ステップＳＴ１：
ユーザによる携帯型端末装置２のキー入力部１６の操作に応じて、制御部３０はＧＰＳ周辺検索モードに移行させる。
【００１９】
ステップＳＴ２：
携帯型端末装置２の制御部３０は、カードＲ／Ｗ部２６を介して非接触型ＩＣカード４０に記憶されている図３に示す店舗データＳＤ＿Ｃを読み出す。
そして、制御部３０は、当該読み出した店舗データＳＤ＿Ｃを表示部１４に店舗別ポイントカードリストＤ１として表示する。
【００２０】
ステップＳＴ３：
ユーザが携帯型端末装置２のキー入力部１６を操作して、表示部１４に表示された店舗別ポイントカードリストＤ１から周辺で検索したい店舗を選択する。
ステップＳＴ４：
携帯型端末装置２の制御部３０は、携帯型端末装置２の現在位置データをＧＰＳ部２４から取得する。
制御部３０は、当該取得した現在位置データと、ステップＳＴ３で選択した店舗の店舗名データとを含む検索要求を、通信部１０を介してナビゲーションサーバ装置４に送信する。
【００２１】
ステップＳＴ５：
ナビゲーションサーバ装置４は、図４に示す店舗データＳＤ＿Ｓを参照して、ステップＳＴ４で携帯型端末装置２から受信した現在位置データが示す現在位置から所定の範囲内にあり、且つ当該要求に含まれる店舗名データと一致する店舗の店舗ＩＤを検索する。
また、ナビゲーションサーバ装置４は、店舗データＳＤ＿Ｓを参照して、当該検索要求に含まれる店舗とジャンルが同じ店舗の店舗情報を取得する。
ステップＳＴ６：
ナビゲーションサーバ装置４は、ステップＳＴ５で取得した店舗に関する情報を含む応答を携帯型端末装置２に送信する。
【００２２】
ステップＳＴ７：
携帯型端末装置２の制御部３０は、ステップＳＴ６で受信した店舗に関する情報を図５のＤ２に示すように表示部１４に表示する。
このとき、表示部１４に表示する店舗情報Ｄ２は、例えば、ステップＳＴ６でナビゲーションサーバ装置４から受信した店舗ＩＤと、非接触型ＩＣカード４０が記憶している図３に示す店舗データＳＤ＿Ｃとを照合して、携帯型端末装置２のユーザがポイントを保持している店舗の店舗情報と、ポイントを保持していない店舗の店舗情報とを区別して示している。すなわち、店舗名ではなく、店舗ＩＤで照合を行う。これにより、異なる店舗名だが、ポイントシステムが同じ店舗は同等に扱われる。
このとき、制御部３０は、非接触型ＩＣカード４０の店舗データＳＤ＿Ｃに登録されている店舗に関する店舗情報を優先的に表示する。店舗情報Ｄ２では、店舗データＳＤ＿Ｃに登録されている店舗情報を画面上側に表示している。
【００２３】
ステップＳＴ８：
ユーザが携帯型端末装置２のキー入力部１６を操作して、ステップＳＴ７で表示部１４に表示された店舗情報Ｄ２から、地図表示を希望する店舗を選択する。
そして、制御部３０は、当該選択された店舗の店舗名および店舗ＩＤを、通信部１０を介してナビゲーションサーバ装置４に送信する。
【００２４】
ステップＳＴ９：
ナビゲーションサーバ装置４は、図４に示す店舗データＳＤ＿Ｓを参照して、ステップＳＴ８で受信した店舗名および店舗ＩＤに対応した位置データ等を取得する。
そして、ナビゲーションサーバ装置４は、当該取得した位置データ等を基に地図データを取得すると共に、ルートガイドデータを生成する。
ナビゲーションサーバ装置４は、上記地図データと、ルートガイドデータとを携帯型端末装置２に送信する。
【００２５】
ステップＳＴ１０：
携帯型端末装置２の制御部３０は、ステップＳＴ９で送信され、受信した地図データを基に、現在地から店舗までの案内を行う案内画面Ｄ３を表示部１４に表示する。すなわち、ルート案内を開始する。
【００２６】
以上説明したように、通信システム１によれば、携帯型端末装置２において、非接触型ＩＣカードの情報を用いて検索要求し、ナビゲーションサーバ装置４からの検索結果を画面表示する際に、非接触型ＩＣカード４０が記憶する店舗データＳＤ＿Ｃに基づいて、携帯型端末装置２のユーザがポイントを保持している店舗の店舗情報を、ポイントを保持していない店舗の店舗情報より優先させて表示する。そのため、情報検索が容易になると共に、ユーザの嗜好（属性）に適合した画面表示が可能になり、ユーザが希望する情報に短時間でアクセスできるようになる。本実施形態の場合には、ユーザは保持しているポイントカードを有効に利用することができる店舗を即座に発見することが可能となる。
また、ユーザが現在地周辺の地理に詳しくない場合であっても、検索要求に類似する周辺店舗情報(店舗名、店舗ID)をナビゲーションサーバから受信することで現在地周辺でポイントカードが利用できる店舗情報を得ることができる。また、複数のポイントカードを所持している場合、ポイントカードの利用頻度や、ポイント数の高い順番にソートすることができる。従って、ユーザは所持しているポイントカードを有効利用することができる。
【００２７】
また、通信システム１では、ナビゲーションサーバ装置４において、指定した店舗が見つからなかった場合に備えて、同一ジャンルに属する店舗を検索し、携帯型端末装置２に送信していることから、ユーザは目的の店舗を容易に発見することが可能となる。この機能により、ユーザは周辺情報検索を行う際のキーワード入力の手間を省くことができる。これは、入力インタフェースが貧弱な携帯型端末装置２において効果が大きい。
【００２８】
通信システム１では、携帯型端末装置２はナビゲーションサーバ装置４から検索要求に類似する周辺店舗情報(店舗名、店舗ID)を受信することで、非接触型ＩＣカード４０に登録されている店舗別ポイントカードがユーザの知りえない他の店舗でも共通利用できることを知ることができる。
【００２９】
＜第２実施形態＞
本実施形態では、第１実施形態で説明した通信システム１において、携帯型端末装置２からナビゲーションサーバ装置４に、携帯型端末装置２の現在位置データと、ユーザが指定したジャンルデータとを送信し、全ジャンルがユーザによって指定された場合を説明する。
【００３０】
図６は、第２実施形態の通信システム１の動作例を説明するためのフローチャートである。
ステップＳＴ２１：
ユーザによる携帯型端末装置２のキー入力部１６の操作に応じて、制御部３０はＧＰＳ周辺検索モードに移行させる。
【００３１】
ステップＳＴ２２：
携帯型端末装置２の制御部３０は、図６に示す検索画面Ｄ１１を表示部１４に表示する。
そして、ユーザが携帯型端末装置２のキー入力部１６を操作して、表示部１４に表示された検索画面Ｄ１１上で「４．全ジャンル検索」を選択する。
【００３２】
ステップＳＴ２３：
携帯型端末装置２の制御部３０は、携帯型端末装置２の現在位置データをＧＰＳ部２４から取得する。
制御部３０は、当該取得した現在位置データと、ステップＳＴ２２の操作に応じた全ジャンル指定フラグデータとを含む要求を、通信部１０を介してナビゲーションサーバ装置４に送信する。
【００３３】
ステップＳＴ２４：
ナビゲーションサーバ装置４は、図４に示す店舗データＳＤ＿Ｓを参照して、ステップＳＴ４で携帯型端末装置２から受信した現在位置データが示す現在位置から所定の範囲内にある全ジャンルの店舗の店舗ＩＤを取得する。
ステップＳＴ２５：
ナビゲーションサーバ装置４は、ステップＳＴ２４で取得した店舗ＩＤと、それに対応した店舗情報とを含む応答を携帯型端末装置２に送信する。
【００３４】
ステップＳＴ２６：
携帯型端末装置２の制御部３０は、ステップＳＴ２５で受信した情報を図６のＤ１２に示すように表示部１４に表示する。
このとき、表示部１４に表示する店舗情報Ｄ１２は、例えば、ステップＳＴ２５でナビゲーションサーバ装置４から受信した店舗ＩＤと、非接触型ＩＣカード４０が記憶している図３に示す店舗データＳＤ＿Ｃとを照合して、携帯型端末装置２のユーザがポイントを保持している店舗の店舗情報と、ポイントを保持していない店舗の店舗情報とを区別して示している。すなわち、店舗名ではなく、店舗ＩＤで照合を行う。これにより、異なる店舗名だが、ポイントシステムが同じ店舗は同等に扱われる。
このとき、制御部３０は、非接触型ＩＣカード４０の店舗データＳＤ＿Ｃに登録されている店舗に関する店舗情報を優先的に表示する。店舗情報Ｄ２では、店舗データＳＤ＿Ｃに登録されている店舗情報を画面上側に表示している。
【００３５】
ステップＳＴ２６以降の処理は、例えば、図５に示すステップＳＴ８〜１０と同じである。
本実施形態によれば、非接触型ＩＣカードに保持している店舗（よく利用する店舗）を中心に簡単な操作でナビ検索を行うことができる。
【００３６】
＜第３実施形態＞
本実施形態では、第１実施形態で説明した通信システム１において、携帯型端末装置２からナビゲーションサーバ装置４に、携帯型端末装置２の現在位置データと、ユーザが指定したジャンルデータとを送信し、所定のジャンルがユーザによって指定された場合を説明する。
【００３７】
図７は、第３実施形態の通信システム１の動作例を説明するためのフローチャートである。
ステップＳＴ３１：
ユーザによる携帯型端末装置２のキー入力部１６の操作に応じて、制御部３０は、ＧＰＳ周辺検索モードに移行させる。
【００３８】
ステップＳＴ３２：
携帯型端末装置２の制御部３０は、図６に示す検索画面Ｄ１１を表示部１４に表示する。
そして、ユーザが携帯型端末装置２のキー入力部１６を操作して、表示部１４に表示された検索画面Ｄ１１上で「３．ジャンル指定検索」を選択する。
これにより、制御部３０は、図７に示す検索画面Ｄ２１を表示部１４に表示する。
そして、ユーザが携帯型端末装置２のキー入力部１６を操作して、表示部１４に表示された検索画面Ｄ２１上で、任意のジャンルを指定（選択）する。
【００３９】
ステップＳＴ３３：
携帯型端末装置２の制御部３０は、携帯型端末装置２の現在位置データをＧＰＳ部２４から入力する。
制御部３０は、当該入力した現在位置データと、ステップＳＴ２２の操作に応じたジャンル指定フラグデータとを含む要求を、通信部１０を介してナビゲーションサーバ装置４に送信する。
【００４０】
ステップＳＴ３４：
ナビゲーションサーバ装置４は、図４に示す店舗データＳＤ＿Ｓを参照して、ステップＳＴ４で携帯型端末装置２から受信した現在位置データが示す現在位置から所定の範囲内にある店舗のうち、受信したジャンル指定フラグデータが示すジャンルの店舗の店舗ＩＤを取得する。
ステップＳＴ３５：
ナビゲーションサーバ装置４は、ステップＳＴ３４で取得した店舗ＩＤと、それに対応した店舗情報とを含む応答を携帯型端末装置２に送信する。
【００４１】
ステップＳＴ３６：
携帯型端末装置２の制御部３０は、ステップＳＴ２５で受信した情報を図７のＤ２２に示すように表示部１４に表示する。
このとき、表示部１４に表示する店舗情報Ｄ２２は、例えば、ステップＳＴ３５でナビゲーションサーバ装置４から受信した店舗ＩＤと、非接触型ＩＣカード４０が記憶している図３に示す店舗データＳＤ＿Ｃとを照合して、携帯型端末装置２のユーザがポイントを保持している店舗の店舗情報と、ポイントを保持していない店舗の店舗情報とを区別して示している。すなわち、店舗名ではなく、店舗ＩＤで照合を行う。これにより、異なる店舗名だが、ポイントシステムが同じ店舗は同等に扱われる。
このとき、制御部３０は、非接触型ＩＣカード４０の店舗データＳＤ＿Ｃに登録されている店舗に関する店舗情報を優先的に表示する。店舗情報Ｄ２では、店舗データＳＤ＿Ｃに登録されている店舗情報を画面上側に表示している。
【００４２】
ステップＳＴ３６以降の処理は、例えば、図５に示すステップＳＴ８〜１０と同じである。
本実施形態によれば、ナビゲーションサーバ装置４の検索において、携帯型端末装置２からジャンルを指定でき、検索範囲を絞ることができる。
【００４３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、本発明における「店舗に関連付けて記憶している情報」としてポイントカードを例示したが、それ以外の商品購入履歴などの情報を用いてもよい。
【００４４】
また、上述した実施形態では、ナビゲーション検索を例にして説明しているが、これに限定するものではなく、ネットワーク上のサーバに対して行う情報検索に対しても非接触により情報を出力する手段に基づく情報を利用できる。
【００４５】
また、上述した実施形態では、非接触により情報を出力する手段として非接触型ＩＣカードを例示して説明しているが、ＩＣカードに限定するものではない。
【００４６】
また、上述した実施形態では、携帯型端末装置が内蔵する非接触型ＩＣカードの情報を直接読み出して利用する例を説明しているが、これに限定するものではない。例えば、非接触により情報を出力する手段の情報がネットワーク上の管理サーバに保持されている場合、情報検索の要求を行う際に携帯型端末装置がその管理サーバから取得する方法、情報検索を行う際に検索サーバが管理サーバから取得する方法、検索サーバからの出力結果を表示する際に携帯型端末装置が管理サーバから取得する方法なども含むものである。
【図面の簡単な説明】
【００４７】
【図１】図１は、本発明の実施形態の通信システムの全体構成図である。
【図２】図２は、本発明の実施形態に係わる携帯型端末装置の機能ブロック図である。
【図３】図３は、図２に示す非接触型ＩＣカードが記憶する店舗データＳＤ＿Ｃを説明するための図である。
【図４】図４は、図１に示すナビゲーションサーバ装置が保持する店舗データＳＤ＿Ｓを説明するための図である。
【図５】図５は、本発明の第１実施形態の通信システムの動作例を説明するためのフローチャートである。
【図６】図６は、本発明の第２実施形態の通信システムの動作例を説明するためのフローチャートである。
【図７】図７は、本発明の第３実施形態の通信システムの動作例を説明するためのフローチャートである。
【符号の説明】
【００４８】
１…通信システム、２…携帯型端末装置、４…ナビゲーションサーバ装置、１０…通信部、１２…アンテナ、１４…表示部、１６…キー入力部、１８…音声処理部、２０…スピーカ、２２…イヤホン端子、２４…ＧＰＳ部、２６…カードＲ／Ｗ部、２８…記憶部、３０…制御部
【図１】
2007121143.tif 000003
【図２】
2007121143.tif 000004
【図３】
2007121143.tif 000005
【図４】
2007121143.tif 000006
【図５】
2007121143.tif 000007
【図６】
2007121143.tif 000008
【図７】
2007121143.tif 000009